(57)【特許請求の範囲】
【請求項１】
複数のページに分割可能なデータファイルを分割した各ページの画像を複数の表示装置に表示させる複数表示装置の表示方法であって、
前記複数の表示装置の各表示装置を左右に並べて配列させて前記複数のページの各画像を表示させる際に、予め前記表示装置の各々から前記配列における当該表示装置の位置として、左端、右端または中間の位置にあることをサーバにネットワークを介して送信するステップと、
表示開始ページが指定されると、当該指定されたページの画像を前記配列の両端のうちの一方の表示装置に送信し、次ページの画像を隣接する表示装置に送信し、前記表示装置の台数分の画像を順に送信するステップと、
前記送信された画像を各表示装置で表示するステップと
を備えることを特徴とする複数表示装置の表示方法。
【請求項２】
ページ捲りの指示を受信すると、前記配列の両端の一方のうちの表示装置に送信した画像のページに台数を加算したページの画像を当該表示装置に送信し、該加算したページの次ページの画像を隣接する表示装置に送信し、前記表示装置の台数分の画像を順に送信するステップをさらに備えることを特徴とする請求項１に記載の複数表示装置の表示方法。
【請求項３】
前記データファイルは楽譜に関連することを特徴とする請求項１または２に記載の複数表示装置の表示方法。
【請求項４】
複数のページに分割可能なデータファイルを分割した各ページの画像を複数の表示装置の各画面に表示させる複数表示装置の表示方法をコンピュータに実行させるプログラムであって、前記方法は、
左右に並べて配列された複数の表示装置の各表示装置から前記配列における当該表示装置の位置として、左端、右端または中間の位置にあることを、ネットワークを介して予め受信し、前記表示装置の台数および配列を記憶するステップと、
表示開始ページが指定されると、当該指定されたページの画像を前記配列の両端のうちの一方の表示装置に送信し、次ページの画像を隣接する表示装置に送信し、前記表示装置の台数分の画像を順に送信するステップと、
前記送信された画像を各表示装置で表示させるステップと
を備えることを特徴とするプログラム。
【請求項５】
複数のページに分割可能なデータファイルを分割した各ページの画像を複数の表示装置の各画面に表示させるサーバであって、
左右に並べて配列された複数の表示装置の各表示装置から前記配列における当該表示装置の位置として、左端、右端または中間の位置にあることを、ネットワークを介して予め受信し、前記表示装置の台数および配列を記憶する記憶手段と、
表示開始ページが指定されると、当該指定されたページの画像を前記配列の両端のうちの一方の表示装置に送信し、次ページの画像を隣接する表示装置に送信し、前記表示装置の台数分の画像を順に送信する送信手段と、
前記送信された画像を各表示装置で表示させる指示手段と
を備えることを特徴とするサーバ。
【請求項６】
複数のページに分割可能なデータファイルを分割した各ページの画像を表示する表示システムであって、
予め左右に並べて配列された複数の表示装置であって、該配列における各表示装置の位置として、左端、右端または中間の位置にあることをサーバにネットワークを介して送信する位置送信手段と、送信された画像を表示する表示手段とを含む複数の表示装置と、
前記複数の表示装置の配列における各表示装置の位置を、ネットワークを介して予め受信し、前記表示装置の台数および配列を記憶する記憶手段と、表示開始ページが指定されると、当該指定されたページの画像を前記配列の両端のうちの一方の表示装置に送信し、次ページの画像を隣接する表示装置に送信し、前記表示装置の台数分の画像を順に送信する送信手段とを含むサーバと
を備え、前記複数の表示装置のいずれかにおいて表示開始ページが指定されると、前記サーバに前記表示開始ページを送信することを特徴とする表示システム。
【請求項７】
複数のページに分割可能なデータファイルを分割した各ページの画像を表示する表示システムであって、
予め左右に並べて配列された複数の表示装置であって、該配列における各表示装置の位置として、左端、右端または中間の位置にあることをサーバにネットワークを介して送信する位置送信手段と、送信された画像を表示する表示手段とを含む複数の表示装置と、
前記複数の表示装置の配列における各表示装置の位置を、ネットワークを介して予め受信し、前記表示装置の台数および配列を記憶する記憶手段と、表示開始ページが指定されると、当該指定されたページの画像を前記配列の両端のうちの一方の表示装置に送信し、次ページの画像を隣接する表示装置に送信し、前記表示装置の台数分の画像を順に送信する送信手段とを含むサーバと、
表示開始ページが指定されると、前記サーバに該表示開始ページを送信する指示装置と
を備えることを特徴とする表示システム。
【発明の詳細な説明】
【技術分野】
【０００１】  本発明は複数表示装置の表示方法、システムおよびプログラムに関し、より具体的には、複数のページを含むデータファイルを複数の端末の画面に表示する複数表示装置の表示方法、システムおよびプログラムに関する。
【背景技術】
【０００２】  従来紙媒体に印刷して提供されてきた文書や楽譜などのコンテンツを、書き換え可能な様々な表示装置に表示して、利用者に提供する多様なシステムが利用されている。すなわち、従来書籍や楽譜は印刷媒体で提供されていたが、ページ数が多ければ分厚くなり、何冊も持ち歩くことができないため、代わりにスマートフォンやタブレット端末などにコンテンツを記憶させ表示させて利用することにより、持ち運びを容易にし、多くの書籍や楽譜を任意の場所で利用することができる。ここで、スマートフォンやタブレット端末などの表示装置を用いて楽譜を表示する装置が提案されている（例えば、特許文献１参照）。特許文献１は、楽譜をタブレットなどに表示してスクロール表示する際に演奏者や歌唱者が見易く表示するものであるが、１つの表示装置に１ページ分の楽譜しか表示できない。ほとんどの書籍や楽譜は見開きになっているので、利用の観点からは２つの表示画面に各ページを表示させる方が操作性に優れている。この点を考慮して、楽譜を見開きで表示する装置（電子楽譜）が提案されている（例えば、特許文献２参照）。特許文献２の電子楽譜では、２つの表示画面が見開きになっており、通常の楽譜のように表示され、ページ捲りをすることにより次のページの画像データを取得して表示している。【特許文献１】特許５１９０１５７号公報
【特許文献２】特開２００３−１０７９８６号公報
【発明の概要】
【発明が解決しようとする課題】
【０００３】  しかし、従来の電子楽譜は、２つの表示画面を有する見開き型の専用装置になっており、汎用のタブレット端末に比べるときわめて高価で、電子楽譜を利用するメリットを毀損している。【０００４】  本発明は上記従来の問題に鑑みてなされたものであり、１つの表示画面しか持たない通常の表示装置を複数並べて、書籍や楽譜を同時に複数ページ閲覧することができる複数表示装置の表示方法、システムおよびプログラムを提供することを目的とする。【０００５】  また、複数台の表示装置を並べて１つのデータファイルのページを連続して表示させるためには、どの表示装置をどこに配置するかという構成情報を予めサーバに直接設定しておく必要があり、配置を変えるたびに構成情報を変更しなければならないため、従来は柔軟な運用ができなかった。このため本発明では、柔軟な運用が可能になるように表示装置の構成を簡易にサーバに設定可能な複数表示装置の表示方法、システムおよびプログラムを提供することを目的とする。
【課題を解決するための手段】
【０００６】
請求項１に記載の発明は、複数のページに分割可能なデータファイルを分割した各ページの画像を複数の表示装置に表示させる複数表示装置の表示方法であって、複数の表示装置の各表示装置を左右に並べて配列させて複数のページの各画像を表示させる際に、予め表示装置の各々から配列における表示装置の位置として、左端、右端または中間の位置にあることをサーバにネットワークを介して送信するステップと、表示開始ページが指定されると、指定されたページの画像を配列の両端のうちの一方の表示装置に送信し、次ページの画像を隣接する表示装置に送信し、表示装置の台数分の画像を順に送信するステップと、送信された画像を各表示装置で表示するステップとを備えることを特徴とする。
【０００８】
請求項２に記載の発明は、請求項１に記載の複数表示装置の表示方法において、ページ捲りの指示を受信すると、配列の両端のうちの一方の表示装置に送信した画像のページに台数を加算したページの画像を当該装置に送信し、加算したページの次ページの画像を隣接する表示装置に送信し、前記表示装台数分の画像を順に送信するステップをさらに備えることを特徴とする。
【０００９】
請求項３に記載の発明は、請求項１または２に記載の複数表示装置の表示方法において、データファイルは楽譜に関連することを特徴とする。
【００１１】
請求項４に記載の発明は、複数のページに分割可能なデータファイルを分割した各ページの画像を複数の表示装置の各画面に表示させる複数表示装置の表示方法をコンピュータに実行させるプログラムであって、方法は、左右に並べて配列された複数の表示装置の各表示装置から配列における表示装置の位置として、左端、右端または中間の位置にあることを、ネットワークを介して予め受信し、表示装置の台数および配列を記憶するステップと、表示開始ページが指定されると、指定されたページの画像を配列の両端のうちの一方の表示装置に送信し、次ページの画像を隣接する表示装置に送信し、表示装置の台数分の画像を順に送信するステップと、送信された画像を各表示装置で表示させるステップとを備えることを特徴とする。
【００１２】
請求項５に記載の発明は、複数のページに分割可能なデータファイルを分割した各ページの画像を複数の表示装置の各画面に表示させるサーバであって、左右に並べて配列された複数の表示装置の各表示装置から配列における表示装置の位置として、左端、右端または中間の位置にあることを、ネットワークを介して予め受信し、表示装置の台数および配列を記憶する記憶手段と、表示開始ページが指定されると、指定されたページの画像を配列の両端のうちの一方の表示装置に送信し、次ページの画像を隣接する表示装置に送信し、表示装置の台数分の画像を順に送信する送信手段と、送信された画像を各表示装置で表示させる指示手段とを備えることを特徴とする。
【００１３】
請求項６に記載の発明は、複数のページに分割可能なデータファイルを分割した各ページの画像を表示する表示システムであって、予め左右に並べて配列された複数の表示装置であって、配列における各表示装置の位置として、左端、右端または中間の位置にあることをサーバにネットワークを介して送信する位置送信手段と、送信された画像を表示する表示手段とを含む複数の表示装置と、複数の表示装置の配列における各表示装置の位置を、ネットワークを介して予め受信し、表示装置の台数および配列を記憶する記憶手段と、表示開始ページが指定されると、指定されたページの画像を配列の両端のうちの一方の表示装置に送信し、次ページの画像を隣接する表示装置に送信し、表示装置の台数分の画像を順に送信する送信手段とを含むサーバとを備え、複数の表示装置のいずれかにおいて表示開始ページが指定されると、サーバに表示開始ページを送信することを特徴とする。
【００１５】
請求項７に記載の発明は、複数のページに分割可能なデータファイルを分割した各ページの画像を表示する表示システムであって、予め左右に並べて配列された複数の表示装置であって、配列における各表示装置の位置として、左端、右端または中間の位置にあることをサーバにネットワークを介して送信する位置送信手段と、送信された画像を表示する表示手段とを含む複数の表示装置と、複数の表示装置の配列における各表示装置の位置を、ネットワークを介して予め受信し、表示装置の台数および配列を記憶する記憶手段と、表示開始ページが指定されると、指定されたページの画像を配列の両端のうちの一方の表示装置に送信し、次ページの画像を隣接する表示装置に送信し、表示装置の台数分の画像を順に送信する送信手段とを含むサーバと、表示開始ページが指定されると、サーバに該表示開始ページを送信する指示装置とを備えることを特徴とする。
【発明の効果】
【００２３】
本発明によると、表示装置を左右に並べて配列させて複数のページの各画像を表示させる際に、予め複数の表示装置の各表示装置から配列における表示装置の位置として、左端、右端または中間の位置にあることをサーバにネットワークを介して送信するステップと、表示開始ページが指定されると、指定されたページの画像を配列の両端のうちの一方の表示装置に送信し、次ページの画像を隣接する表示装置に送信し、表示装置の台数分の画像を順に送信するステップと、送信された画像を各表示装置で表示するステップとを備えているので、１つの表示画面しか持たない通常の表示装置を複数並べて、書籍や楽譜を同時に複数ページ閲覧することができる。また、表示装置の構成を簡易にサーバに設定して柔軟な運用が可能となる。
【図面の簡単な説明】
【００２４】
【図１】本発明の一実施形態の全体のシステム構成図である。
【図２】本発明の一実施形態のサーバの機能ブロック図である。
【図３】本発明の一実施形態の表示装置の配置の設定を説明するための図である。
【図４Ａ】本発明の一実施形態のサーバで管理される各表示装置の配置情報を示す図である。
【図４Ｂ】本発明の一実施形態のサーバで管理される別の各表示装置の配置情報を示す図である。
【図５】本発明の一実施形態のサーバ、表示装置の各ページの表示動作を説明するための図である。
【図６】本発明の一実施形態のシステム全体の処理を示すフローチャートである。
【図７】本発明の一実施形態のサーバ、表示装置のページ捲りの動作を説明するための図である。
【図８】本発明の別の一実施形態のサーバ、表示装置の各ページの表示動作を説明するための図である。
【図９】本発明の別の一実施形態の表示装置の配置の設定を説明するための図である。
【図１０Ａ】本発明の一実施形態の表示装置に表示された画像のページ捲りの例を説明するための図である。
【図１０Ｂ】本発明の一実施形態の表示装置に表示された画像のページ捲りの別の例を説明するための図である。
【発明を実施するための形態】
【００２５】  以下、本発明の複数表示装置の表示方法、システムおよびプログラムについて図面を参照して実施形態を説明する。
【００２６】  (第１実施形態)  本実施形態では、扱うデータとして楽譜データを用い、演奏の際などにサーバから各ページの画像を送信して表示装置に表示するような形態を想定するが、これに限られず本発明は、複数の表示装置を用いて各ページの画像を表示するシステムに適用することができる。従来のシステムは１台の表示装置に楽譜データを表示するが、本実施形態の楽譜データは、並べられた複数の表示装置に各ページの画像を表示させるようにする。例えば、本実施形態では図１０Ａおよび図１０Ｂに示すように表示装置を左右横に並べて楽譜を表示する。図１０Ａは、２台の表示装置を使用する場合、図１０Ｂは３台の表示装置を使用する場合の例を示すが、本実施形態のように楽譜データを表示させる場合は、２台の表示装置のときは、表示装置を横に並べ、楽譜を見開きで見る態様で左側に１ページ目の楽譜を表示し、右側に２ページ目を表示する。
【００２７】  １回分ページ捲りされると左側に３ページ目、右側に４ページ目が表示され、以降２ページずつページ捲りされる。同様に、３台の表示装置を用いるときは、左端に１ページ目が表示され、中央に２ページ目が、右端の表示装置に３ページ目の楽譜が表示される。１回分ページ捲りされると、左端に４ページ目が表示され、中央に５ページ目が、右端に６ページ目の楽譜が表示され、以降３ページずつページ捲りされる。
【００２８】  （本実施形態の構成）  本実施形態の表示方法の概要は以上であるが、具体的なシステムの動作及び処理を以下に説明する。図１は、本発明の一実施形態の全体のシステム構成図である。本システムでは、楽譜データを配信したり、システム全体を制御したりするためのサーバとして、楽譜配信サーバ１０１および通信サーバ１０２を備えており、ネットワーク１０３を介して接続されている。表示装置である端末１１１〜１１２は、基本的に無線でネットワーク１０３に接続されており、例えばタブレット端末とすることができ、本実施形態でネットワーク１０３との接続は、携帯電話の回線や、Ｗｉ−ｆｉ、ＢＬＵＥＴＯＯＴＨ（登録商標）等の無線ネットワークにより行う。ここで端末１１１、１１２はタブレット端末のほか、スマートフォン、あるいはモバイルパソコン等とすることができるが、基本的に楽譜データ等をサーバから受信して画像を表示、およびタッチパネル、マウスまたはキーボードで一定の入力操作をすることができれば、モバイルあるいはデスクトップのパソコン、専用端末などいずれの装置を用いることができる。
【００２９】  スマートフォン１１３は、本実施形態では、ページの指定やページ捲りの指示など、端末１１１、１１２に楽譜などを表示する際の操作に用いるものであり、端末１１１、１１２と同様にネットワークを介してサーバと通信できるものであればスマートフォンに限られず、いずれかの端末装置を使用することができ、パソコン等の固定装置を使用することもできる。また、本実施形態のサーバとしては、楽譜配信サーバ１０１、通信サーバ１０２の２つのサーバを備え、スマートフォン１１３から楽譜等の画像の表示やページ送りなどの指示を通信サーバ１０２に送信すると、通信サーバ１０２は画像データのページおよび表示装置などを特定して楽譜配信サーバ１０１に指示し、楽譜配信サーバ１０１は指示された表示装置１１１または１１２に指示されたページの画像データを送信して表示させるが、これに限られず１つのサーバとして、指示の受信から画像データの送信までするようにすることもでき、あるいはさらに多くのサーバに機能分担させることもできる。
【００３０】  図２は、本発明の一実施形態のサーバの機能ブロック図である。楽譜配信サーバ１０１は、図示しないサーバ等から楽譜データを受信して記憶し、管理する楽譜データ受信、管理モジュール２０１、受信した楽譜データから各ページの画像データを生成する楽譜、画像変換モジュール２０２および生成された画像データを記憶、管理するとともに、通信サーバ１０２から指示を受信すると指定された端末に画像データを送信する画像データ管理、送信モジュール２０３を備える。また、通信サーバ１０２は、端末１１１、１１２から端末の配列中の位置情報を受信し、端末の配列を判定するとともに記憶し、管理する端末指定受信、配置管理モジュール２０４、スマートフォン１１３から指示を受信し、端末指定受信、配置管理モジュール２０４で管理される端末の位置情報に基づいて楽譜データの各ページの画像をどの表示装置に表示するかを管理する指示受信、端末管理モジュール２０５および受信した指示に基づいて判定された表示すべき画像データを表示すべき端末１１１または１１２に送信する画像送信指示モジュール２０６を備える。
【００３１】  以下に、図２〜図７を参照して本実施形態の処理を説明する。本実施形態では、まず表示装置がどのような順番で並べられているかを、簡易な方法でサーバに通知し（表示装置の位置設定）、その後指示装置であるスマートフォンなどから表示に関する操作を行って、楽譜の各ページの画像の表示やページ捲り処理を行う。
【００３２】  （表示装置の位置設定の処理）  図３は、本発明の一実施形態の表示装置の配置の設定を説明するための図であり、図４Ａおよび図４Ｂは、本発明の一実施形態のサーバで管理される各表示装置の配置情報を示す図である。また、図５は、本発明の一実施形態のサーバ、表示装置の各ページ画像の表示動作を説明するための図であり、図６は、本発明の一実施形態のシステム全体の処理を示すフローチャートである。
【００３３】  本実施形態では、図３に示すように各端末において簡易な方法で位置を設定して、サーバに知らせることにより、サーバが端末の配列を判定し、その後どの端末にどのページの画像を送信するかを決定する。すなわち、各端末でタッチパネル等により操作を行って（指をスライドさせ）設定するが、右端の端末は端末の表示画面の中央から右端へ指をスライド、中央の端末は画面の左端から右端へ指をスライド、および右端の端末は画面の左端から中央へ指をスライドさせることにより各端末の位置を設定する。設定された情報（位置指定情報）は各端末からサーバに送ることにより、サーバでは各端末の位置を判定し、判定された配置は例えば図４Ａおよび図４Ｂに示すように通信サーバ１０２内に記憶される。このように設定することにより、別途サーバに端末の位置を端末名などと関連させて設定しておかなくても、端末を並べた状態で、かつ各端末ごとに操作するだけで配置を登録できるので、余計な手間がかからず、また柔軟な運用が可能である。
【００３４】  具体的に図６のフローチャートを参照して説明すると、まずステップＳ６０１において、使用する端末の台数をいずれかの端末に入力して通信サーバ１０２に送信する。次に３台の端末を使用する場合を例に図３を参照して説明すると、先ず１台目（左端）の端末の画面上で中心部から右にポインターを移動させる。すなわち、左端の端末の画面上の中央付近を指で押下すると、画面上にポインターが表示され（ステップＳ３０１）、指を右にスライドさせ（ステップＳ３０２）、このポインターの動作、すなわち端末の画面上で指を中央から右端にスライドさせたという情報（位置指定情報）を左端の端末は通信サーバ１０２に送信する。
【００３５】  通信サーバ１０２の端末指定受信、配置管理モジュール２０４は、左端の端末の位置指定情報を受信すると、中央から右端への右スライドだから、書字方向が右であり、左端の端末であると判定し記憶する。具体的には、例えば図４Ａに示すように（この端末の端末名を端末３とすると）、配置情報４０１の項目４０５に左端と記録する（ステップＳ６０２）。
【００３６】  次に、中央の端末の画面の左端を押下すると、画面上にポインターが表示され（ステップＳ３０３）、右端までスライドさせ（ステップＳ３０４）、このポインターの動作、すなわち端末の画面上で指を左端から右端にスライドさせたという情報（位置指定情報）を中央の端末は通信サーバ１０２に送信する。通信サーバ１０２の端末指定受信、配置管理モジュール２０４は、中央の端末の位置指定情報を受信すると、位置指定情報により、送信してきた端末は中央の端末と判定し記憶する。具体的には、例えば図４Ａに示すように（中央の端末の端末名を端末１とすると）、項目４０３に中央と記録する（ステップＳ６０２）。
【００３７】  同様に、右端の端末の画面の左端を押下すると、画面上にポインターが表示され（ステップＳ３０５）、中央までスライドさせ（ステップＳ３０６）、このポインターの動作、すなわち端末の画面上で指を左端から中央にスライドさせたという情報（位置指定情報）を右端の端末は通信サーバ１０２に送信する。通信サーバ１０２の端末指定受信、配置管理モジュール２０４は、右端の端末から位置指定情報を受信すると、送信してきた端末は右端の端末と判定し記憶する。具体的には、例えば図４Ａに示すように（この端末の端末名を端末２とすると）、項目４０４に右端と記録する（ステップＳ６０２）。このような操作は、書字方向に合わせて端の端末から順に画面をなぞるようにスライドさせていく、つまり左端の画面中央から指で、連続する端末をなぞるように触れていくので、直観的でわかりやすい。
【００３８】  以上の処理により、３台の端末の位置関係及び書字方向が判定され、これらの情報を用いて、楽譜等を３台の端末に表示させることができる。なお、本実施形態では設定の最初に使用する端末の台数をいずれかの端末で入力しサーバに送信したが、台数を入力しなくても上記の操作で３台分の位置登録が確認されれば、台数は自動的に３台と判定して使用することができる。この場合、例えば端末に図示しない位置設定開始等のボタンを表示しておき、これが押下されると設定が開始され、最後の入力から一定時間設定の通知をサーバが受けとらない場合設定が終了すると判断して、それまでに設定された端末の数を台数とすることができる。
【００３９】  また、上記操作は、左端の端末から行ったが、上述のようにスライドさせる位置により端末の位置を判定しているので、必ずしもこれに限られず、中央の端末から操作開始してもよく、いずれの端末から、いずれの順番で操作を行うこともできる。この場合、４台以上の端末の位置設定をするときは、左右端を除く中央には２台以上の端末が配置されることになるので、例えば左の端末から順に位置設定操作をすることにより、サーバは中央の何番目の端末かを判定することができる。
【００４０】  さらに、本実施形態では書字方向は右であるが、本発明は書字方向が左の場合にも適用可能であり、その場合端末の位置判定は上記と逆になる。すなわち、右端あるいは左端の端末の画面での設定時のスライドは、中央から左端あるいは右端から中央とすることにより上記同様に判定することができる。さらに、上下に端末を並べた場合も、本発明の原理を用いることにより、端末での設定、サーバでの判定が可能となる。また、本実施形態で操作はタブレットを想定しているため、ポインターの移動は指によるスワイプ操作としているが、画面上に表示したポインターをマウスなどで移動させることにより設定することもできる。
【００４１】  次に、図９を参照して表示装置が２台の場合の配列設定操作、配列判定方法について説明する。基本的には、上述の設定、判定方法と同様であり、２台使用の場合は３台使用の場合の中央の表示装置がないだけである。
【００４２】  具体的に図６のフローチャートを参照して説明すると、まずステップＳ６０１において、使用する端末の台数をいずれかの端末に入力して通信サーバ１０２に送信する。先ず１台目（左側）の端末の画面上で中心部から右にポインターを移動させる。すなわち、左側の端末の画面上の中央付近を指で押下すると、画面上にポインターが表示され（ステップＳ９０１）、指を右にスライドさせ（ステップＳ９０２）、このポインターの動作、すなわち端末の画面上で指を中央から右端にスライドさせたという情報（位置指定情報）を左側の端末は通信サーバ１０２に送信する。
【００４３】  通信サーバ１０２の端末指定受信、配置管理モジュール２０４は、左側の端末の位置指定情報を受信すると、中央から右端への右スライドだから、書字方向が右であり、左側の端末であると判定し記憶する。具体的には、例えば図４Ｂに示すように（この端末の端末名を端末４とすると）、配列情報４０６の項目４０７に左端と記録する（ステップＳ６０２）。
【００４４】  次に、右側の端末の画面の左端を押下すると、画面上にポインターが表示され（ステップＳ９０３）、中央までスライドさせ（ステップＳ９０４）、このポインターの動作、すなわち端末の画面上で指を左端から中央にスライドさせたという情報（位置指定情報）を右側の端末は通信サーバ１０２に送信する。通信サーバ１０２の端末指定受信、配置管理モジュール２０４は、右側の端末から位置指定情報を受信すると、送信してきた端末は右側の端末と判定し記憶する。具体的には、例えば図４Ｂに示すように（この端末の端末名を端末５とすると）、項目４０８に右端と記録する（ステップＳ６０２）。
【００４５】  以上の処理により、２台の端末の位置関係及び書字方向が判定され、これらの情報を用いて、楽譜等を２台の端末に表示させることができる。
【００４６】  （画像の表示処理）  次に、ステップＳ６０３で、スマートフォン１１３から楽譜の配信の指示が送信され、通信サーバ１０２の指示受信、端末管理モジュール２０５でこの指示を受信すると、指定されたページの画像を画像配信サーバ１０１に配信させるため、指定されたページの画像が表示されるべき端末を決定する。すなわち、例えば１台で画像を表示する端末５２１に表示する場合は、そのまま指定されたページの画像データを端末５２１に送信するよう指示すればいいが、２台または３台の構成の端末群の場合どの端末に何ページの画像データを送信させるか決定しなければならない。例えば、端末５３１、５３２のいずれかが指定されて、４ページ目の画像の表示が指示されれば、端末５３１に３ページ目の画像を、端末５３２には４ページ目の画像を送信するように、楽譜配信サーバ１０１に指示する（ステップＳ６０４）。指示受信、端末管理モジュール２０５は、このような指示をすると、現在どの端末に何ページの画像が表示されているかを記憶、管理する。
【００４７】  なお、ここではスマートフォン１１３を用いて表示指示を行う例を説明したが、以降に説明するページ捲りやその他の操作も含め、図８に示すように表示用の各端末５２１、５３１、５３２、５４１、５４２、５４３のいずれかを用いて行うこともできる。その場合スマートフォン１１３は不要となる。また、この場合、表示する端末を指定せずに表示を所望するページのみ送ることもでき、そのような指定は指示が送信された端末が指定されたと解釈して上述の処理を行うことができる。
【００４８】  同様に、端末５４１、５４２、５４３のいずれかが指定されて、４ページ目の画像の表示が指示されれば、端末５４１に４ページ目の画像を、端末５４２には５ページ目の画像を、端末５４３には６ページ目の画像を送信するように、楽譜配信サーバ１０１に指示する（ステップＳ６０４）。ここで、本実施形態で、スマートフォン１１３からの指示は、楽譜の表示を所望するページと、並べた端末群の少なくとも１台の指定を含むが、これに限られず、端末群全部、すなわち全部の端末の情報などを含むこともできる。
【００４９】  楽譜配信サーバ１０１は、予め楽譜データ受信、管理モジュール２０１が楽譜データベース５０１から楽譜データを受信して管理しており、この楽譜データを楽譜→画像変換モジュールがＰＤＦ形式の楽譜データから、ページごとの画像に分離しておき記憶、管理しておく。楽譜配信サーバ１０１に端末およびページを指定して画像データ送信の指示が通信サーバ１０２からなされると、画像データ管理、送信モジュール２０３が指示されたページの画像を読み込み、指示された端末に送信する。上述の指示の例でいえば、端末５３１に３ページ目の画像を、端末５３２には４ページ目の画像を送信し、端末５４１に４ページ目の画像を、端末５４２には５ページ目の画像を、端末５４３には６ページ目の画像を送信する。
【００５０】  （ページ捲り処理）  図７は、本発明の一実施形態のサーバ、表示装置のページ捲りの動作を説明するための図である。上述のような方法で、すでに何ページ目かの画像が各端末に表示されている状態で、図７に示すように端末７０２上でスワイプ操作をすると次のページの画像が表示される。本例では２台の端末を使用しているので、ページ捲りをすると２ページずつページが送られる。すなわち、１ページと２ページ目の画像が表示されている状態でページ捲り  （スワイプ等）がなされると、３ページと４ページ目の画像が表示され、さらにページ捲りすると５ページと６ページ目の画像が表示される。
【００５１】  具体的な処理を説明すると、１ページと２ページ目の画像が表示されている状態で端末７０２の画面上を指でスワイプすると、ページ捲り（ページ送り）指示が通信サーバ１０２に送信される（ステップＳ６０６）。指示受信、端末管理モジュール２０５は、現在１ページと２ページ目の画像が表示されていることを認識しているので、ページ捲りの指示により３ページと４ページ目の画像を表示すると判定し、それぞれ表示すべき端末も決定して、楽譜配信サーバ１０１に送信指示を行う（ステップＳ６０４）。指示を受けた楽譜配信サーバ１０１は、指示されたページの画像データを指示された端末に送信し、各端末は受信した画像データを表示する。ここで、指示受信、端末管理モジュール２０５は、各端末に現在表示されている画像が何ページかを管理しているので、各端末はページ捲りの指示のみで適切なページの表示の指示を楽譜配信サーバ１０１に送信できるが、例えば各端末に表示しているページを各端末でも管理するようにして、ページ捲りの指示の際にページも送信して、指示受信、端末管理モジュール２０５において、端末の表示しているページ情報がない場合でも適切にページ捲り処理を行うこともできる。
【００５２】  以上、２台の端末に表示する場合のページ捲りを説明したが、同様に本発明に従えば、任意の台数の表示でもページ捲り処理をすることができる。例えば、３台の表示装置を用いる場合、３台の端末のいずれかの画面上でスワイプ操作を行えば３ページずつページが送られるから、例えば１ページ、２ページ、３ページ目の画像が表示されている状態でページ捲り（スワイプ等）がなされると、４ページ、５ページ、６ページ目の画像が表示される。
【００５３】  また、図示しないが、ページを戻す場合は例えば、５ページと６ページ目の画像が表示されている状態から、図９の端末上で向って右にスワイプすると、３ページと４ページ目の画像が表示されるようになる。また、上記では端末７０２、すなわち右側の端末でページ捲りをするよう説明したが、これに限られず左側の端末でページ捲りの操作をすることもできる。
【００５４】  本実施形態では、２台および３台の表示装置を用いた複数画像表示方法を説明したが、上記で説明した本実施形態の種々の方法を台数に合わせて変更して、任意の台数の表示装置を用いたシステムにも本発明を適用することができる。また、本実施形態では書字方向は右であるが、本発明は書字方向が左の場合にも適用可能であり、その場合端末に表示されるページは反対方向になるので、例えば図５の表示例で説明すると、端末５３１、５３２のいずれかが指定されて、４ページ目の画像の表示が指示されれば、端末５３２に３ページ目の画像を、端末５３１には４ページ目の画像が表示される。同様に、端末５４１、５４２、５４３のいずれかが指定されて、４ページ目の画像の表示が指示されれば、端末５４３に４ページ目の画像を、端末５４２には５ページ目の画像を、端末５４１には６ページ目の画像が表示される。ページ捲りも方向は反対になり、図７を参照すると、向って左にスワイプするとページ捲りされるが、書字方向が左の場合は逆に向かって右にスワイプすることによりページ捲り操作となる。さらに、上下に端末を並べた場合も、本発明の原理を用いることにより、端末に適切なページの画像を表示させることができる。
【００５５】  (第２実施形態)  本実施形態は、基本的に上述の第１実施形態と同様の構成を有し、各端末の配置の設定は同様に行う。また、そのように設定された配列に基づいて複数台の端末に書字方向に連続するページの画像を表示させることも同様である。本実施形態と第１実施形態とのおもな差異は、表示開始時の指定方法およびページ捲りである。以下、この差異点を中心に本実施形態の説明を行うが、上述の通り基本的に差異点以外は第１実施形態の処理を用いることができる。
【００５６】  上述の第１実施形態の画像の表示処理においては、スマートフォン１１３または各端末から楽譜の配信の指示が、指定されたページとともに送信されると、指定されたページの画像が表示されるべき端末が決定される。しかし、本実施形態では、そのような処理は行わず指定された端末に、指定されたページを送信し、その他の端末には指示された端末に合わせたページの画像が送信される。すなわち、例えば１台で画像を表示する端末５２１に表示する場合は、そのまま指定されたページの画像データを端末５２１に送信するよう指示すればいいが、２台または３台の構成の端末群の場合は指定された端末に指定されたページの画像データを送信し、その他の端末にはこれに合わせてどのページを表示させるか決定する。
【００５７】  例えば、端末５３１が指定されて、４ページ目の画像の表示が指示されれば、端末５３１に４ページ目の画像を、端末５３２には５ページ目の画像を送信するように、楽譜配信サーバ１０１に指示する（ステップＳ６０４）。指示受信、端末管理モジュール２０５は、このような指示をすると、現在どの端末に何ページの画像が表示されているかを記憶、管理する。同様に、端末３台使用時に端末５４２が指定されて、４ページ目の画像の表示が指示されれば、端末５４１に３ページ目の画像を、端末５４２には４ページ目の画像を、端末５４３には５ページ目の画像を送信するように、楽譜配信サーバ１０１に指示する（ステップＳ６０４）。  以上により各端末に画像が表示された後、図７に示すように上述の第１実施形態と同様画面上をスワイプすることによりページ捲りをすることができる。本実施形態では、上述の第１実施形態と同様、端末７０２、すなわち右側の端末の画面上でページ捲りをすると２ページずつページが送られる。しかし、端末７０１、すなわち左側の端末でページ捲りを行うと第１実施形態とは異なり、１ページずつページ送りをすることができる。図７はこのような例を示しており、図７に示すように端末７０２の画面をページ捲りのために左にスワイプすると２ページずつページ送りがされるが、端末７０１の画面をページ捲りのために左にスワイプすると１ページずつページ送りがされる。このようにページ捲りをする端末を変えることにより、１ページずつや、２ページずつページ捲りをするように捲るページ数を変更することができ、柔軟性のある運用を行うことができる。
【００５８】  このようなページ捲りの変更は３台以上の端末にも適用でき、例えば３台の端末を使用する場合、左端の端末でページ捲りを行うと３ページずつページを送り、中央の端末でページ捲りをすると２ページ又は１ページずつページ送りを行い、右端の端末でページ捲りをすると１ページずつページ送りをするようにすることができる。
【００５９】  また、第１実施形態のようにページを戻す操作もスワイプにより行えるが、この場合も操作する端末により戻されるページ数を変えることができる。
【図１】
0006593784.tif 000002
【図２】
0006593784.tif 000003
【図３】
0006593784.tif 000004
【図４Ａ】
0006593784.tif 000005
【図４Ｂ】
0006593784.tif 000006
【図５】
0006593784.tif 000007
【図６】
0006593784.tif 000008
【図７】
0006593784.tif 000009
【図８】
0006593784.tif 000010
【図９】
0006593784.tif 000011
【図１０Ａ】
0006593784.tif 000012
【図１０Ｂ】
0006593784.tif 000013